(57)【要約】【課題】内部に筆記具を円滑に挿入することができる筆記具用箱を提供する。【解決手段】本発明の筆記具用箱１は、角筒状の胴部３と、胴部３の上端に形成した蓋部５と、胴部３の下端に形成した底部４と、胴部３内に挿入され且つ下端が底部４内面に当接する横断面コ字状の内装体６とからなり、複数本の筆記具７を収容可能である。胴部３上部と蓋部５とが、胴部３の背面で折り曲げ自在に接続されるヒンジ蓋８を構成する。ヒンジ蓋８の開放時、内装体６が外部に露出し、ヒンジ蓋８の閉鎖時、内装体６の外面がヒンジ蓋８の内面と係止する。底部４を構成する複数の板片の各々が胴部３内面と非重合状態にある。【選択図】  図６
2008284845.tif 000002
【特許請求の範囲】
【請求項１】
角筒状の胴部と、前記胴部の上端に形成した蓋部と、前記胴部の下端に形成した底部と、前記胴部内に挿入され且つ下端が底部内面に当接する横断面コ字状の内装体とからなり、前記胴部上部と前記蓋部とが、胴部の背面で折り曲げ自在に接続されるヒンジ蓋を構成し、ヒンジ蓋の開放時、内装体が外部に露出し、ヒンジ蓋の閉鎖時、内装体の外面がヒンジ蓋の内面と係止してなる、複数本の筆記具を収容可能な筆記具用箱であって、
前記底部が、複数の板片により構成され、前記複数の板片の各々が胴部内面と非重合状態にあることを特徴とする筆記具用箱。
【請求項２】
前記胴部が、正面板と、背面板と、前記正面板と前記背面板との間を接続する、第１側面板と第２側面板とからなり、前記底部が、正面板の下端に折り曲げ線を介して連設された正面側底板片と、背面板の下端に折り曲げ線を介して連設された背面側底板片と、第１側面板の下端に折り曲げ線を介して連設され且つ正面側底板片と貼着される第１補助板片と、第２側面板の下端に折り曲げ線を介して連設され且つ背面側底板片と貼着される第２補助板片とからなり、前記正面側底板片、前記背面側底板片、前記第１補助板片、及び前記第２補助板片の各々が、胴部内面と非重合状態にある請求項１記載の筆記具用箱。
【請求項３】
前記底部の長辺／短辺の値が、１以上４以下である請求項１または２記載の筆記具用箱。
【請求項４】
内部に収容する各々の筆記具の上端面に、インキ色またはペン先種類を識別する表示を設けた請求項１乃至３のいずれかに記載の筆記具用箱。
【請求項５】
前記胴部の表面に合成樹脂製フィルムを貼着してなる請求項１乃至４のいずれかに記載の筆記具用箱。
【請求項６】
扁平状の胴部を角筒状に形成することにより自動的に底部を構成する請求項１乃至５のいずれかに記載の筆記具用箱。
【発明の詳細な説明】
【技術分野】
【０００１】
本発明は、筆記具用箱に関する。詳細には、複数本の筆記具を収容可能な筆記具用箱に関する。
【背景技術】
【０００２】
従来、特許文献１には、正面板から両側面板にかけて形成した開口部によって互いに区分される蓋部と胴部とを有し背面板を折り曲げて蓋部を仰開できるようにした容器本体と、蓋部の仰開時に開口部から上部を突出するよう正面板及び両側面板の内壁に沿って内挿される内鞘体とよりなる仰開式容器が開示されている。
【０００３】
【特許文献１】実用新案登録第２５４７８００号公報
【発明の開示】
【発明が解決しようとする課題】
【０００４】
前記仰開式容器（本願の筆記具用箱に相当）は、底面板が底部折込片を有するため、筆記具を内部に挿入する際、筆記具の端部が底部折込片に当接して円滑な挿入が阻害されるおそれがある。また、前記仰開式容器は、底蓋部を下にして安定して載置することが難しく、通常、正面板または背面板を下にして載置される。そのため、前記仰開式容器を、机上面等の載置面に載置して使用する場合、筆記作業のスペースが小さくなるおそれがある。
【０００５】
本発明は前記従来の問題点を解決するものであって、内部に筆記具を円滑に挿入することができる筆記具用箱を提供しようとするものである。
【課題を解決するための手段】
【０００６】
本願の第１の発明は、角筒状の胴部３と、前記胴部３の上端に形成した蓋部５と、前記胴部３の下端に形成した底部４と、前記胴部３内に挿入され且つ下端が底部４内面に当接する横断面コ字状の内装体６とからなり、前記胴部３上部と前記蓋部５とが、胴部３の背面で折り曲げ自在に接続されるヒンジ蓋８を構成し、ヒンジ蓋８の開放時、内装体６が外部に露出し、ヒンジ蓋８の閉鎖時、内装体６の外面がヒンジ蓋８の内面と係止してなる、複数本の筆記具７を収容可能な筆記具用箱であって、前記底部４が、複数の板片により構成され、前記複数の板片の各々が胴部３内面と非重合状態にあることを要件とする。
【０００７】
前記第１の発明の筆記具用箱１は、底部４を構成する複数の板片の各々が胴部３内面と非重合状態にあることにより、内部に筆記具７を円滑に挿入できる。
【０００８】
本願の第２の発明は、前記胴部３が、正面板３１と、背面板３２と、前記正面板３１と前記背面板３２との間を接続する、第１側面板３３と第２側面板３４とからなり、前記底部４が、正面板３１の下端に折り曲げ線３ｆを介して連設された正面側底板片４１と、背面板３２の下端に折り曲げ線３ｈを介して連設された背面側底板片４２と、第１側面板３３の下端に折り曲げ線３ｅを介して連設され且つ正面側底板片４１と貼着される第１補助板片４３と、第２側面板３４の下端に折り曲げ線３ｇを介して連設され且つ背面側底板片４２と貼着される第２補助板片４４とからなり、前記正面側底板片４１、前記背面側底板片４２、前記第１補助板片４３、及び前記第２補助板片４４の各々が、胴部３内面と非重合状態にあることを要件とする。
【０００９】
前記第２の発明の筆記具用箱１は、正面側底板片４１、背面側底板片４２、第１補助板片４３、及び第２補助板片４４の各々が、胴部３内面と非重合状態にあることにより、内部に筆記具７を円滑に挿入できる。
【００１０】
本願の第３の発明は、前記第１または第２の発明において、前記底部４の長辺／短辺の値が、１以上４以下であることを要件とする。
【００１１】
前記第３の発明の筆記具用箱１は、前記底部４の長辺／短辺の値が、１以上４以下であることにより、蓋部５を上にし且つ底部４を下にして容易に机上等の載置面に載置することができ、筆記時の大きな作業スペースを確保できる。
【００１２】
本願の第４の発明は、前記第１乃至３のいずれかの発明において、内部に収容する各々の筆記具７の上端面に、インキ色またはペン先種類を識別する表示７１を設け、ヒンジ蓋８を開口させた際、各々の筆記具７の上端面の表示７１を視認可能に構成したことを要件とする。
【００１３】
前記第４の発明の筆記具用箱１は、内部に収容する各々の筆記具７の上端面に、インキ色またはペン先種類を識別する表示７１を設け、ヒンジ蓋８を開口させた際、各々の筆記具７の上端面の表示７１を視認可能に構成したことにより、使用時、ヒンジ蓋８を開口させることにより、各々の筆記具７の上端面の表示７１を容易に視認できる。
【００１４】
本願の第５の発明は、前記第１乃至４のいずれかの発明において、前記胴部３の表面に合成樹脂製フィルムを貼着してなることを要件とする。
【００１５】
前記第５の発明の筆記具用箱１は、胴部３の表面に合成樹脂製フィルムを貼着してなることにより、ヒンジ蓋８と背面板３２の上部とが折り曲げ自在に接続される箇所（即ちヒンジ蓋８と背面板３２の上部との接続部）の耐久性が向上する。
【００１６】
本願の第６の発明は、前記第１乃至５のいずれかの発明において、扁平状の胴部３を角筒状に形成することにより自動的に底部４を構成することを要件とする。
【００１７】
前記第６の発明の筆記具用箱１は、箱の組立作業が容易となり、製造コストを低減できる。
【発明の効果】
【００１８】
本発明筆記具用箱は、内部に筆記具を円滑に挿入することができる。
【発明を実施するための最良の形態】
【００１９】
本発明の実施の形態の筆記具用箱１を、図１乃至図６に示す。
本実施の形態の筆記具用箱１は、角筒状の胴部３と、前記胴部３の上端に形成した蓋部５と、前記胴部３の下端に形成した底部４とからなる箱本体２と、前記箱本体２内に挿入され且つ下端が底部４内面に当接する横断面コ字状の内装体６とからなる。
【００２０】
・箱本体
図１に箱本体２を構成するブランク板（板紙またはダンボールシート）の展開図を示す。前記ブランク板の表面には、合成樹脂製フィルム（例えばポリプロピレン製フィルム）が貼着される。
【００２１】
前記胴部３は、正面板３１と、該正面板３１と対向する背面板３２と、前記正面板３１と前記背面板３２とを接続し且つ互いに対向する第１側面板３３と第２側面板３４と、前記背面板３２と前記第１側面板３３とを接続する糊代片２６とからなる。前記正面板３１と前記第１側面板３３とが、折り曲げ線３ａを介して連設される。前記正面板３１と前記第２側面板３４とが、折り曲げ線３ｂを介して連設される。前記背面板３２と前記第２側面板３４とが、折り曲げ線３ｃを介して連設される。前記糊代片２６と前記背面板３２とが、折り曲げ線３ｄを介して連設される。前記背面板３２と第１側面板３３とが、糊代片２６を介して接続され、それにより、筒状の胴部３が形成される。前記正面板３１、前記第１側面板３３、前記第２側面板３４には、ミシン目３５が形成される。
【００２２】
前記底部４は、正面板３１の下端に折り曲げ線３ｆを介して連設された正面側底板片４１と、背面板３２の下端に折り曲げ線３ｈを介して連設された背面側底板片４２と、第１側面板３３の下端に折り曲げ線３ｅを介して連設され且つ正面側底板片４１と貼着される第１補助板片４３と、第２側面板３４の下端に折り曲げ線３ｇを介して連設され且つ背面側底板片４２と貼着される第２補助板片４４とからなる。
【００２３】
前記正面側底板片４１は、係止部４１ａと固定部４１ｂとからなる。前記背面側底板片４２は、係止部４２ａと固定部４２ｂとからなる。前記正面側底板片４１の固定部４１ｂは、第１補助板片４３と貼着され且つ斜めの折り曲げ線４ａに沿って折り曲げ可能である。前記背面側底板片４２の固定部４２ｂは、第２補助板片４４と貼着され且つ斜めの折り曲げ線４ｂに沿って折り曲げ可能である。胴部３を扁平状態から角筒状態に変化させると同時に、前記正面側底板片４１の係止部４１ａと前記背面側底板片４２の係止部４２ａとが係合することにより自動的に底部４が形成される。前記胴部３が角筒状であるとき、前記正面側底板片４１、前記背面側底板片４２、前記第１補助板片４３、及び前記第２補助板片４４の各々が、胴部３内面と非重合状態にある。
【００２４】
本実施の形態では、前記底部４の長辺／短辺の値が、およそ２であることにより、蓋部５を上にし且つ底部４を下にして容易に机上等の載置面に載置することができ、筆記時の大きな作業スペースを確保できる。
【００２５】
前記蓋部５は、正面板３１の上端に折り曲げ線３ｉを介して連設された蓋板片５１と、前記蓋板片５１の外側端部に折り曲げ線５ａを介して連設された折込片５２と、第１側面板３３の上端に折り曲げ線３ｊを介して連設され且つ蓋板片５１と貼着される第１耳片５３と、第２側面板３４の上端に折り曲げ線３ｋを介して連設され且つ蓋板片５１と貼着される第２耳片５４とからなる。
【００２６】
・内装体
図２に、前記内装体６を構成するブランク板（板紙またはダンボールシート）の展開図を示す。前記内装体６は、中央板６１と、該中央板６１の右側と折り曲げ線６ａを介して連設される第１側板６２、該中央板６１の左側と折り曲げ線６ｂを介して連設される第２側板６３とからなる。前記中央板６１の上端中央には切り欠き６１ａが形成される。前記内装体６は、横断面コ字状に折り曲げ形成される。
【００２７】
・内装体の挿入
前記角筒状に形成した胴部３に内部に、上方より前記内装体６が挿入される。内装体６の下端は、底部４内面に当接される。（図３参照）
【００２８】
・筆記具の挿入
前記内装体６を内部に備えた筆記具用箱１に、複数本の筆記具７をキャップ側を上にして収容する。前記各々の筆記具７のキャップの上端面には、インキ色またはペン先種類を識別する表示７１が設けられる。（図４参照）
【００２９】
・蓋部の形成
筆記具７を収容した後、第１耳片５３と第２耳片５４とを蓋板片５１に貼着し、折込片５２を第１耳片５３及び第２耳片５４と背面板３２内面との隙間に差し込み係止し、胴部３の上端に蓋部５が形成される。本発明の筆記具用箱１は、製造後、この状態で出荷され、ユーザーが使用開始するまでこの状態が維持される（図５参照）。
【００３０】
・ヒンジ蓋
本実施の形態の筆記具用箱１をユーザーが使用開始する際、前記ミシン目３５に沿って切断することにより、胴部３上部と蓋部５とが、胴部３の背面板３２の折り曲げ線３２ａに沿って折り曲げ自在に接続されるヒンジ蓋８を構成する。前記ヒンジ蓋８の開放時、内装体６が外部に露出される。前記ヒンジ蓋８の閉鎖時、内装体６の外面がヒンジ蓋８の内面と係止される。前記背面板３２の表面には、合成樹脂製フィルムが貼着されているため、ヒンジ蓋８の開閉による繰り返しの屈曲に対する耐久性が増す（図６参照）。
【図面の簡単な説明】
【００３１】
【図１】本発明の実施の形態の箱本体を形成するブランク板の展開図である。
【図２】本発明の実施の形態の内装体を形成するブランク板の展開図である。
【図３】本発明の実施の形態の箱本体及び内装体の分解斜視図である。
【図４】本発明の実施の形態の箱本体内に内装体及び筆記具を収容した状態を示す斜視図である。
【図５】本発明の実施の形態の箱本体内に内装体及び筆記具を収容した後、蓋部を形成した状態を示す斜視図である。
【図６】本発明の実施の形態のヒンジ蓋を開放した状態を示す斜視図である。
【符号の説明】
【００３２】
１  筆記具用箱
２  箱本体
３  胴部
３１  正面板
３２  背面板
３２ａ  折り曲げ線
３３  第１側面板
３４  第２側面板
３５  ミシン目
２６  糊代片
３ａ  折り曲げ線
３ｂ  折り曲げ線
３ｃ  折り曲げ線
３ｄ  折り曲げ線
３ｅ  折り曲げ線
３ｆ  折り曲げ線
３ｇ  折り曲げ線
３ｈ  折り曲げ線
３ｉ  折り曲げ線
３ｊ  折り曲げ線
３ｋ  折り曲げ線
４  底部
４１  正面側底板片
４１ａ  係止部
４１ｂ  固定部
４２  背面側底板片
４２ａ  係止部
４２ｂ  固定部
４３  第１補助板片
４４  第２補助板片
４ａ  折り曲げ線
４ｂ  折り曲げ線
５  蓋部
５１  蓋板片
５２  折込片
５３  第１耳片
５４  第２耳片
５ａ  折り曲げ線
６  内装体
６１  中央板
６１ａ  切り欠き
６２  第１側板
６３  第２側板
６ａ  折り曲げ線
６ｂ  折り曲げ線
７  筆記具
７１  表示
８  ヒンジ蓋
【図１】
2008284845.tif 000003
【図２】
2008284845.tif 000004
【図３】
2008284845.tif 000005
【図４】
2008284845.tif 000006
【図５】
2008284845.tif 000007
【図６】
2008284845.tif 000008